(57)【要約】【課題】光アドレッシングによる制御を行う表示パネルにおいて、温度変化による光量の変化を低減し、正確な画像を表示可能な表示パネル等を提供すること。【解決手段】制御光Ｌの光量に応じて電気的な導電率が変化する導電率可変層２０３と、導電率に応じた電流によって発光するエレクトロ・ルミネッセンス層２０４と、導電率可変層２０３の近傍に設けられ、導電率可変層２０３の温度を検出する温度センサ１３２と、を有し、エレクトロ・ルミネッセンス層２０４は、導電率可変層２０３の温度に基づいて光量が補正されている制御光Ｌによって、所望の階調レベルで発光する。【選択図】図２
2005183076.tif 000002
【特許請求の範囲】
【請求項１】
制御光の光量に応じて電気的な導電率が変化する導電率可変層と、
前記導電率に応じた電流によって発光するエレクトロ・ルミネッセンス層と、
前記導電率可変層の近傍に設けられ、前記導電率可変層の温度を検出する温度センサと、を有し、
前記エレクトロ・ルミネッセンス層は、前記導電率可変層の温度に基づいて光量が補正されている前記制御光によって、所望の階調レベルで発光することを特徴とする表示パネル。
【請求項２】
制御光の光量に応じて電気的な導電率が変化する導電率可変層と、
前記導電率に応じた電圧を印加することによって、照明光を透過又は反射するように駆動する駆動部と、
前記導電率可変層の近傍に設けられ、前記導電率可変層の温度を検出する温度センサと、を有し、
前記駆動部は、前記導電率可変層の温度に基づいて光量が補正されている前記制御光によって、透過又は反射する前記照明光の光量が所望の階調レベルとなるように駆動することを特徴とする表示パネル。
【請求項３】
複数の前記温度センサが設けられていることを特徴とする請求項１又は２に記載の表示パネル。
【請求項４】
それぞれの前記温度センサにおいて異なる温度が検出された場合に、前記制御光の光量は、それぞれの前記温度センサにより検出された温度に基づいて算出された補間値を用いて補正されることを特徴とする請求項３に記載の表示パネル。
【請求項５】
表示パネルと、
前記表示パネルに電流又は電圧を供給する電源と、
前記表示パネルに制御光を供給する制御光用光学系と、
画像信号に応じて前記制御光の光量を変調するように前記制御光用光学系を制御する制御部と、を有し、
前記表示パネルは、請求項１〜４のいずれか一項に記載の表示パネルであって、
前記制御部は、前記表示パネルの発光光、又は前記表示パネルが駆動することによって透過又は反射される照明光の光量が所望の階調レベルとなるように、前記画像信号に応じて変調されている前記制御光の光量を、検出された導電率可変層の温度に基づいて補正することを特徴とする表示装置。
【請求項６】
前記表示パネルは、エレクトロ・ルミネッセンス層又は駆動部が設けられている表示領域と、前記表示領域の外縁に設けられた非表示領域と、からなり、
前記制御部は、前記非表示領域に略一定の光量の前記制御光を入射させるように前記制御光用光学系を制御し、
さらに、前記制御部は、前記制御光が前記非表示領域に入射しているときのみの前記導電率可変層の温度に基づいて、前記制御光の光量を補正することを特徴とする請求項５に記載の表示装置。
【請求項７】
電圧を検出する電圧検出用電極と、
前記電圧検出用電極に印加されている電圧を検出する電圧検出部と、を有し、
前記表示パネルは、エレクトロ・ルミネッセンス層又は駆動部が設けられている表示領域と、前記表示領域の外縁に設けられた非表示領域と、からなり、
前記電圧検出用電極は、前記制御光が入射する側とは反対の側の前記非表示領域に、前記導電率可変層に接触させて設けられ、
前記制御部は、前記非表示領域に略一定の光量の前記制御光を入射させるように前記制御光用光学系を制御し、
さらに、前記制御部は、前記電圧検出部により検出された電圧値と、前記温度センサにより検出された前記導電率可変層の温度とに応じて、前記制御光の光量を補正することを特徴とする請求項５に記載の表示装置。
【請求項８】
前記制御光が前記表示パネルの前記表示領域内を走査していることを検知するインデックスセンサを有し、
前記インデックスセンサは、さらに、前記制御光の光量を検出し、
前記制御部は、前記インデックスセンサによって検出された前記制御光の光量に基づいて、前記制御光用光学系を制御することを特徴とする請求項６に記載の表示装置。
【請求項９】
制御光の光量に応じて電気的な導電率が変化する導電率可変層と、前記導電率に応じた電流によって発光するエレクトロ・ルミネッセンス層と、を備える表示パネルと、
前記表示パネルに電流を供給する電源と、
前記表示パネルに制御光を供給する制御光用光学系と、
画像信号に応じて前記制御光の光量を変調するように前記制御光用光学系を制御する制御部と、を有する表示装置の制御方法であって、
前記導電率可変層の温度を検出する温度検出工程と、
前記エレクトロ・ルミネッセンス層の発光光の光量が所望の階調レベルとなるように、前記導電率可変層の温度に基づいて前記制御光の光量を補正する光量補正工程と、を含むことを特徴とする表示装置の制御方法。
【請求項１０】
制御光の光量に応じて電気的な導電率が変化する導電率可変層と、前記導電率に応じた電圧を印加することによって、照明光を透過又は反射するように駆動する駆動部と、を備える表示パネルと、
前記表示パネルに電圧を印加する電源と、
前記表示パネルに制御光を供給する制御光用光学系と、
画像信号に応じて前記制御光の光量を変調するように前記制御光用光学系を制御する制御部と、を有する表示装置の制御方法であって、
前記導電率可変層の温度を検出する温度検出工程と、
前記駆動部が透過又は反射する前記照明光の光量が所望の階調レベルとなるように、前記導電率可変層の温度に基づいて前記制御光の光量を補正する光量補正工程と、を含むことを特徴とする表示装置の制御方法。
【発明の詳細な説明】
【技術分野】
【０００１】
本発明は、表示パネル、表示装置及び表示装置の制御方法、特に、光を走査することにより制御可能な表示パネルの技術に関する。
【背景技術】
【０００２】
従来、表示装置には、電流によって発光するエレクトロ・ルミネッセンス（以下、「ＥＬ」という。）や、電圧によって照明光を透過又は反射させる液晶を用いた表示パネルが用いられる。従来の表示パネルは、画素ごとに電気的にアクセスすることによって、制御することができる。ここで、表示装置に、制御光を照射することによって制御可能な表示パネルを用いることが考えられている。制御光によって制御可能であると、画像信号に応じた制御光を表示パネルに走査させることにより、表示パネルを制御することができる。電気的なアクセスによらず、制御光を用いて表示パネルを制御することができると、画素ごとの電気的な配線等が不要となる。このため、制御光によって表示パネルが制御可能であると、表示パネルを簡易な構成とすることができる。制御光を走査することによって表示パネルを制御することを、以下、光アドレッシングによる制御という。
【０００３】
表示パネルは、表示装置を配置する空間の温度等の外的要因の影響を受ける場合がある。例えば、外的要因の影響により表示パネル自体の温度が変化すると、画像を正確に表示することが困難となる場合がある。このため、表示パネルを最適な温度に保つ技術が提案されている。例えば、表示パネルの温度を制御するための技術としては、例えば、特許文献１に提案されているものがある。
【０００４】
【特許文献１】特開平５−２５７１０９号公報
【発明の開示】
【発明が解決しようとする課題】
【０００５】
光アドレッシングによる制御を行う上述の表示パネルには、例えば、制御光の光量に応じて導電率が変化する導電率可変層が用いられる。導電率可変層は、導電率可変層の温度変化に対応して導電率が変化すると考えられる。導電率可変層の導電率は、温度が高くなるに従って大きくなる。例えば、有機ＥＬを用いた表示パネルの場合、導電率可変層の温度が高温となると、導電率可変層に流れる電流が増加する。有機ＥＬの発光光の光量は電流値に略比例することから、導電率可変層が高温になると発光光の光量の増加が起こり得る。このように外的要因の影響による温度変化が原因となって発光光の光量が変化すると、画像信号に応じて画像を表示することが困難となる。光アドレッシングによる制御は、有機ＥＬを用いる表示パネルに限らず、例えば、液晶やティルトミラーデバイスを電圧により駆動する表示パネルにも適用することができる。電圧により駆動する表示パネルについては導電率可変層の温度変化によって駆動部に印加する電圧が変化することが考えられる。
【０００６】
上記の特許文献１に提案されている技術は、液晶素子自体を一定温度に保つものである。これに対して、光アドレッシングによる制御を行う上述の表示パネルは、導電率可変層の温度変化により発光光の光量が変化するものである。このため、光アドレッシングによる制御を行う表示パネルに従来の技術を適用しても、導電率可変層の温度変化に伴う光量の変化を低減することは困難である。このように、光アドレッシングによる制御を行う表示パネルは、簡易な構成である利点を有するにもかかわらず、温度変化によって画像信号に応じて表示を行うことが困難となる不具合を生じる場合があるため問題である。本発明は、上述の問題に鑑みてなされたものであり、光アドレッシングによる制御を行う表示パネルにおいて、温度変化による光量の変化を低減し、正確な画像を表示可能な表示パネル、その表示パネルを用いた表示装置、及びその表示装置の制御方法を提供することを目的とする。
【課題を解決するための手段】
【０００７】
上述した課題を解決し、目的を達成するために、本発明によれば、制御光の光量に応じて電気的な導電率が変化する導電率可変層と、導電率に応じた電流によって発光するエレクトロ・ルミネッセンス層と、導電率可変層の近傍に設けられ、導電率可変層の温度を検出する温度センサと、を有し、エレクトロ・ルミネッセンス層は、導電率可変層の温度に基づいて光量が補正されている制御光によって、所望の階調レベルで発光することを特徴とする表示パネルを提供することができる。
【０００８】
光アドレッシングによる制御を行う表示パネルには、制御光の光量に応じて電気的な導電率が変化する導電率可変層が設けられる。導電率可変層に電流を印加すると、ＥＬ層には、制御光の光量に応じた電流が印加される。導電率可変層は、温度変化によって導電率の変化を引き起こす場合があると考えられる。導電率可変層の温度変化によって導電率が変化すると、導電率可変層の温度変化に応じてＥＬ層に流れる電流も変化する。ＥＬ層に流れる電流が変化するため、ＥＬ層の発光光の光量は、導電率可変層の温度変化によって変化してしまう。導電率可変層の温度変化によるＥＬ層の発光光の光量の変化は、画像信号の変化とは何ら関係がないものである。画像信号とは関係なくＥＬ層の発光光の光量が変化すると、画像信号に応じて表示パネルを発光させることが困難となる。
【０００９】
本発明は、表示パネルの発光光の光量が所望の階調レベルとなるように、導電率可変層の温度に基づいて、制御光の光量を補正する。例えば、温度センサによって検出された導電率可変層の温度が高温である場合、制御光の光量を小さくする。このとき、導電率可変層の高温であることによって導電率が大きくなっても、制御光の光量を小さくすることにより導電率可変層に流れる電流の増加を抑制することができる。このようにして導電率可変層の温度変化による導電率可変層に流れる電流値の変化を抑制する。そして、電流値の変化を抑制することにより、導電率可変層の温度変化に伴うＥＬ層の発光光の光量の変化を低減する。温度変化による発光光の光量の変化を低減できると、画像信号に正確に対応することができる。これにより、光アドレッシングによる制御を行う表示パネルにおいて、温度変化による光量の変化を低減し、正確な光量の画像を得られる。
【００１０】
さらに、本発明によれば、制御光の光量に応じて電気的な導電率が変化する導電率可変層と、導電率に応じた電圧を印加することによって、照明光を透過又は反射するように駆動する駆動部と、導電率可変層の近傍に設けられ、導電率可変層の温度を検出する温度センサと、を有し、駆動部は、導電率可変層の温度に基づいて光量が補正されている制御光によって、透過又は反射する照明光の光量が所望の階調レベルとなるように駆動することを特徴とする表示パネルを提供することができる。
【００１１】
制御光の光量に応じて導電率可変層の導電率を変化させると、駆動部には、制御光の光量に応じた電圧が印加される。導電率可変層の温度変化によって導電率が変化すると、導電率可変層の温度変化に応じて駆動部の電圧も変化する。駆動部の電圧が変化すると、画像信号に応じて駆動部を駆動することが困難となる。特に、アナログ信号に対応して連続的な変化量を表示する場合、電圧の変化によって画像の光量が変化してしまう。
【００１２】
本発明は、表示パネルを透過又は反射する照明光の光量が所望の階調レベルとなるように、導電率可変層の温度に基づいて、制御光の光量を補正する。例えば、温度センサによって導電率可変層が高温であることを検出した場合、制御光の光量を小さくする。このとき、導電率可変層が高温であることによって導電率が大きくなっても、制御光の光量を小さくすることにより導電率可変層の電圧の低下を抑制することができる。このようにして導電率可変層の温度変化による導電率可変層に印加される電圧の変化を抑制することによって、導電率可変層の温度変化に伴う駆動部の電圧の変化を低減する。そして、駆動部の電圧の変化を低減することにより、画像信号に応じて正確に駆動部を駆動することができる。これにより、光アドレッシングを行う表示パネルにおいて、駆動部を正確に駆動可能な表示パネルを得られる。特に、電圧によって連続的な変化量を表示する場合であっても、画像を表示する表示光の光量の変化を低減できる。
【００１３】
また、本発明の好ましい態様によれば、複数の前記温度センサが設けられていることが望ましい。表示パネルは、表示領域上の位置によって、表示パネルを配置する空間の温度等の外的要因の影響が異なってくる場合がある。例えば、表示領域の一部にのみ空調機器からの暖気が当たるような場合、表示パネルのうちその一部の温度が他の領域に比べて大きいような温度分布となることが考えられる。表示パネルに複数の温度センサを設けると、それぞれの温度センサに対応する表示パネル上の領域の温度を検出することができる。これにより、表示パネル上の領域における温度分布を認識することができ、表示パネルの温度を正確に検出することができる。表示パネルにおけるこのような温度分布は、表示パネルの表示領域が大きくなるに従い容易に発生することが考えられる。表示領域が大型な表示パネルであっても、複数の温度センサを設けることにより、表示パネルの温度を正確に検出することが可能となる。
【００１４】
また、本発明の好ましい態様としては、それぞれの温度センサにおいて異なる温度が検出された場合に、制御光の光量は、それぞれの温度センサにより検出された温度に基づいて算出された補間値を用いて補正されることが望ましい。表示パネル上の異なる位置において異なる温度が検出された場合、それぞれの位置の間の領域について制御光の光量は、補間値に基づいて調整する。これにより、表示パネル上の領域における温度分布に沿って表示パネルを正確に制御することができる。
【００１５】
さらに、本発明によれば、表示パネルと、表示パネルに電流又は電圧を供給する電源と、表示パネルに制御光を供給する制御光用光学系と、画像信号に応じて制御光の光量を変調するように制御光用光学系を制御する制御部と、を有し、表示パネルは、請求項１〜４のいずれか一項に記載の表示パネルであって、制御部は、表示パネルの発光光、又は表示パネルが駆動することによって透過又は反射される照明光の光量が所望の階調レベルとなるように、画像信号に応じて変調されている制御光の光量を、検出された導電率可変層の温度に基づいて補正することを特徴とする表示装置を提供することができる。上記の表示パネルを用いることにより、温度変化による光量の変化を低減でき、正確な光量で表示可能な表示装置を得られる。
【００１６】
また、本発明の好ましい態様としては、表示パネルは、エレクトロ・ルミネッセンス層、又は駆動部が設けられている表示領域と、表示領域の外縁に設けられた非表示領域と、からなり、制御部は、非表示領域に略一定の光量の制御光を入射させるように制御光用光学系を制御し、さらに、制御部は、制御光が非表示領域に入射しているときのみの導電率可変層の温度に基づいて、制御光の光量を補正することが望ましい。
【００１７】
制御光が非表示領域に入射するときには、制御光の光量は、画像信号に関係なく略一定としても良い。制御光が非表示領域に入射するときに制御光の光量を略一定とすると、表示装置の稼動中において、一定の頻度で制御光の光量が略一定となるタイミングが設けられることとなる。このときの制御光の光量のモニタ及びフィードバックを行うことにより、制御光用光学系からの制御光の出力量が一定となるようにコントロールすることができる。
【００１８】
制御部は、制御光が非表示領域に入射するときの導電率可変層の温度に応じて、制御光用光学系の駆動電流の補正値を算出する。そして、制御部は、制御光が表示領域を走査する間は導電率可変層の温度変化に応じた演算を行わず、制御光が非表示領域に入射するときに算出された補正値をそのまま用いて、表示領域に入射するときの制御光の光量を調整する。制御光は、制御光が表示領域を走査する期間、画像信号に応じて高速に変調されている。これに対して、制御光が非表示領域を走査する期間は、制御光の変調は行われていない。導電率可変層の温度変化に応じた演算を制御光が非表示領域を走査する期間に行うことにより、高速な光変調に対応して高速な演算を行う必要がなくなる。このようにして、制御部は、低速な演算によって導電率可変層の温度変化に応じた制御光の光量の補正を行うことができる。また、制御部が表示領域を走査する期間においては、導電率可変層の温度変化に応じた演算を画像信号に応じた変調とともに行わなくても良いことから、高速な光変調を行うことができる。これにより、高速な光変調による正確な表示を行うことができる。
【００１９】
また、本発明の好ましい態様としては、電圧を検出する電圧検出用電極と、電圧検出用電極に印加されている電圧を検出する電圧検出部と、を有し、表示パネルは、エレクトロ・ルミネッセンス層又は駆動部が設けられている表示領域と、表示領域の外縁に設けられた非表示領域と、からなり、電圧検出用電極は、制御光が入射する側とは反対の側の非表示領域に、導電率可変層に接触させて設けられ、制御部は、非表示領域に略一定の光量の制御光を入射させるように制御光用光学系を制御し、さらに、制御部は、電圧検出部により検出された電圧値と、温度センサにより検出された導電率可変層の温度とに応じて、制御光の光量を補正することが望ましい。
【００２０】
制御光が非表示領域に入射するときには、制御光の光量は、画像信号に関係なく略一定としても良い。非表示領域の導電率可変層に制御光を入射させると、電圧検出用電極に、導電率可変層の導電率に応じた電圧が印加される。非表示領域において略一定の光量の制御光を入射させるように制御光用光学系を駆動して電圧のモニタ及びフィードバックを行うことにより、制御光用光学系からの制御光の出力量が一定となるようにコントロールすることができる。このとき、電圧の目標値を導電率可変層の温度変化に応じて変化させると、導電率可変層の温度変化に伴う表示パネルの光量の変化を低減することができる。これにより、温度変化による光量の変化を低減でき、正確な画像を表示可能な表示装置を得られる。
【００２１】
また、本発明の好ましい態様としては、制御光が表示パネルの表示領域内を走査していることを検知するインデックスセンサを有し、インデックスセンサは、さらに、制御光の光量を検出し、制御部は、インデックスセンサによって検出された制御光の光量に基づいて、制御光用光学系を制御することが望ましい。インデックスセンサに制御光の光量を検出する機能を持たせることにより、制御光の光量を検出するためのセンサを新たに設ける必要がなくなる。制御光の光量を検出するためのセンサが不要であることから、インデックスセンサを設ける表示装置において、部品点数を増加する必要がなくなる。これにより、表示装置を簡易な構成とすることができる。
【００２２】
さらに、本発明によれば、制御光の光量に応じて電気的な導電率が変化する導電率可変層と、導電率に応じた電流によって発光するエレクトロ・ルミネッセンス層と、を備える表示パネルと、表示パネルに電流を供給する電源と、表示パネルに制御光を供給する制御光用光学系と、画像信号に応じて制御光の光量を変調するように制御光用光学系を制御する制御部と、を有する表示装置の制御方法であって、導電率可変層の温度を検出する温度検出工程と、エレクトロ・ルミネッセンス層の発光光の光量が所望の階調レベルとなるように、導電率可変層の温度に基づいて制御光の光量を補正する光量補正工程と、を含むことを特徴とする表示装置の制御方法を提供することができる。
【００２３】
温度検出工程において導電率可変層の温度を検出し、光量補正工程において導電率可変層の温度に応じて制御光の光量を補正する。このようにして導電率可変層の温度変化による導電率可変層に流れる電流値の変化を抑制することによって、導電率可変層の温度変化に伴うＥＬ層の発光光の光量の変化を低減する。これにより、光アドレッシングを行う表示パネルにおいて、温度変化による光量の変化を低減し、正確な画像を表示することができる。
【００２４】
さらに、本発明によれば、制御光の光量に応じて電気的な導電率が変化する導電率可変層と、導電率に応じた電圧を印加することによって、照明光を透過又は反射するように駆動する駆動部と、を備える表示パネルと、表示パネルに電圧を印加する電源と、表示パネルに制御光を供給する制御光用光学系と、画像信号に応じて制御光の光量を変調するように制御光用光学系を制御する制御部と、を有する表示装置の制御方法であって、導電率可変層の温度を検出する温度検出工程と、駆動部が透過又は反射する照明光の光量が所望の階調レベルとなるように、導電率可変層の温度に基づいて制御光の光量を補正する光量補正工程と、を含むことを特徴とする表示装置の制御方法を提供することができる。
【００２５】
温度検出工程において導電率可変層の温度を検出し、光量補正工程において導電率可変層の温度に応じて制御光の光量を補正する。このようにして導電率可変層の温度変化による導電率可変層に流れる電流値の変化を抑制することによって、導電率可変層の温度変化に伴うＥＬ層の発光光の光量の変化を低減する。これにより、光アドレッシングを行う表示パネルにおいて、駆動部を正確に制御し、正確な画像を表示することができる。
【発明を実施するための最良の形態】
【００２６】
以下に図面を参照して、本発明の実施例を詳細に説明する。
【実施例１】
【００２７】
図１は、本発明の実施例１に係る表示装置１００の上面構成を示す。本実施例では、まず表示装置１００の構成、及び制御光による制御について説明し、次に制御光の光量を補正するための構成について説明する。表示装置１００は、表示パネル１１０と、制御光用光学系１２０と、制御部１３０と、電源１４０とから構成されている。表示パネル１１０は、後述の有機ＥＬ層を発光させることによって画像を表示する。制御光用光学系１２０は、制御光用光源１２２とガルバノミラー１２４とから構成されている。
【００２８】
図２は、表示パネル１１０の構成を詳細に表した表示装置１００を示す。基板２０１は、光学的に透明な硝子部材、ポリマー部材等により構成された平行平板である。基板２０１の上には、光学的に透明な第１の透明電極層２０２、導電率可変層２０３が順次積層されている。第１の透明電極層２０２は、ＩＴＯ膜で構成できる。導電率可変層２０３は、第１の透明電極層２０２を透過した制御光Ｌにより、電気的な導電率を変化させる。導電率可変層２０３は、例えばアモルファス・シリコン（以下、「ａ−Ｓｉ」という。）又は感光性有機膜などを用いることができる。例えば、ａ−Ｓｉは、水素を含んでいることが望ましい。また、ａ−Ｓｉは、気相成長法（ＣＶＤ法）により形成する。ａ−Ｓｉは、制御光Ｌを全く照射させていない状態では、電気的な導電率が略ゼロ（即ち抵抗値が略無限大）の絶縁性部材として機能する。これに対して、ａ−Ｓｉに制御光Ｌを照射させると、その光量に応じて導電率が大きくなる（即ち抵抗値が小さくなる）。導電率可変層２０３において導電率が変化する領域は、制御光Ｌを照射させた第１の透明電極層２０２の領域である。
【００２９】
導電率可変層２０３の上には、有機ＥＬ層２０４が設けられている。有機ＥＬ層２０４は、不図示の正孔輸送層、有機発光層、電子輸送層が積層されて構成されている。正孔輸送層の材料としては、例えば、トリアゾール誘導体を用いることができる。有機発光層には、例えば、ベンゾチアゾール系化合物を用いることができる。電子輸送層には、例えば、ジフェニルキノン誘導体等の電子伝達性化合物を用いることができる。正孔輸送層、有機発光層、電子輸送層は、いずれも数十ｎｍ程度の厚みを有することから、光学的に透明である。なお、正孔輸送層、電子輸送層を設けず、有機発光層に正孔輸送材料と、電子輸送材料とを混合することとしても良い。有機ＥＬ層２０４に電流が流れると、有機発光層では、正孔輸送層からの正孔と、電子輸送層からの電子とが結合する。有機発光層の蛍光物質は、正孔と電子とが結合するときに生じるエネルギーによって、励起される。そして、励起された蛍光物質が基底状態に戻るときに発光現象を起こして、有機発光層から光が発生する。
【００３０】
第２の透明電極層２０５は、第１の透明電極層２０２と同様、ＩＴＯ膜で構成できる。第２の透明電極層２０５の上には、基板２０１と同様の、光学的に透明な部材からなる保護層２０６が設けられている。そして、電源１４０は、第１の透明電極層２０２と第２の透明電極層２０５との間に接続されている。電源１４０は、有機ＥＬ層２０４を発光させるための電流を供給する。表示パネル１１０を構成する各層の積層法としては、抵抗加熱真空蒸着法、電子ビーム加熱真空蒸着法、スパッタリング法、イオンプレーティング法、キャスト法、スピンコート法等を適宜用いることができる。なお、図２に示す表示パネル１１０は、各層を一面に設ける構成としているが、例えば、有機ＥＬ層２０４の領域を画素ごとに区切る構成としても良い。
【００３１】
制御光用光学系１２０は、表示パネル１１０に対して、基板２０１の側に設けられている。制御光用光源１２２は、ビーム状の光、例えば、レーザ光である制御光Ｌを供給する。制御光用光源１２２は、例えば、変調器が設けられた半導体レーザ素子や面発光レーザ素子を用いることができる。そして、制御光用光源１２２は、制御部１３０からの画像信号に応じて制御光Ｌの強度を変調して、供給することができる。制御光用光源１２２からの制御光Ｌは、ガルバノミラー１２４により表示パネル１１０の方向に反射される。そして、表示パネル１１０の方向に反射された制御光Ｌは、表示パネル１１０の基板２０１側の面へ入射する。ガルバノミラー１２４は、例えば、ＭＥＭＳ（Micro Electro Mechanical Systems）技術により作成することができる。ガルバノミラー１２４は、略直交する所定の２軸を中心として回動することにより、制御光Ｌを二方向に走査させる。ガルバノミラー１２４の回動は、制御部１３０によって、画像信号に応じて制御されている。このようにして、制御光用光学系１２０は、制御光Ｌを表示パネル１１０の基板２０１側の面に走査させる。
【００３２】
制御光Ｌとしては、導電率可変層２０３の電気的な導電率を変化させることが可能な波長領域の光を用いる。このとき、制御光Ｌが、導電率可変層２０３の電気的な導電率を最も効率良く変化させるような波長領域をもつ場合、小さい光量の制御光Ｌを用いることができる。また、制御光Ｌが、導電率可変層２０３の電気的な導電率を最も効率良く変化させる波長領域以外の波長領域である場合であっても、制御光Ｌの光量を大きくすることにより、表示パネル１１０の制御に用いることが可能である。このようにして、制御光Ｌの波長と、光量とを適宜組み合わせることにより表示パネル１１０を制御することができる。制御光Ｌとしては、紫外線レーザ、可視光線レーザ、赤外線レーザを用いることができる。また、レーザ光に限らず、ビーム状の光、例えば、発光ダイオード素子（ＬＥＤ）からの光を制御光Ｌとして用いることとしても良い。
【００３３】
次に、制御光Ｌによる表示パネル１１０の制御について説明する。制御光用光学系１２０からの制御光Ｌは、表示パネル１１０の基板２０１と、第１の透明電極層２０２とを透過して、導電率可変層２０３に入射する。画像信号に応じた強度の制御光Ｌが導電率可変層２０３に入射すると、制御光Ｌの入射位置の部分について、制御光Ｌの光量に応じて電気的な導電率が増大する。なお、厳密には、導電率可変層２０３の導電率が変化する領域は、制御光Ｌの強度とその照射時間とに比例して、照射位置を中心として周辺へ拡がる傾向がある。ここでは、ガルバノミラー１２４により制御光Ｌを高速に走査させることとし、制御光Ｌを照射させた領域近傍のみの導電率が変化するものとして扱う。
【００３４】
導電率可変層２０３の導電率が増大することにより、電源１４０の、第１の透明電極層２０２と接続されている一方の電極は、第１の透明電極層２０２と導電率可変層２０３とを経由して、有機ＥＬ層２０４と電気的に接続される。また、電源１４０の他方の電極は、第２の透明電極層２０４に接続されている。導電率可変層２０３の導電率は、第１の透明電極層２０２を透過した制御光Ｌの光量に応じて変化するため、有機ＥＬ層２０４には、制御光Ｌの光量に応じた電圧が印加され、電流が流れる。このようにして、有機ＥＬ層２０４を制御光Ｌに応じて発光させることができる。さらに、制御光用光学系１２０を用いて制御光Ｌを入射させる位置を制御することにより、画像信号に応じて有機ＥＬ層２０４を画素ごとに発光させて画像を表示することができる。
【００３５】
次に、制御光の光量を補正するための構成について説明する。導電率可変層２０３は、表示装置１００を配置する室温の変化等の外的要因の影響によって、温度が変化する場合がある。このような導電率可変層２０３の温度変化をモニタするため、導電率可変層２０３には、温度センサ１３２が設けられている。温度センサ１３２としては、例えば、サーミスタを用いることができる。温度センサ１３２は、導電率可変層２０３の温度を検出して、制御部１３０に出力する。温度センサ１３２からの信号は、図３のブロック図に示すように、制御部１３０の温度補正演算部３３３に入力される。温度補正演算部３３３は、導電率可変層２０３からの信号に基づいて温度補正演算を行う。
【００３６】
画像信号ＰＳは、図３のブロック図に示すように、制御部１３０の電流値演算部３３４に入力される。電流値演算部３３４には、画像信号ＰＳとともに、温度補正演算部３３３からの信号が入力する。このとき、電流値演算部３３４は、有機ＥＬ層２０４（図２参照）の発光光の光量が所望の階調レベルとなるように、画像信号ＰＳの加算あるいは減算が行われる。そして、電流値演算部３３４の演算結果は、制御光用光源駆動部３３５に入力される。制御光用光源駆動部３３５は、電流値演算部３３４からの信号に応じて制御光用光源１２２を駆動する。このようにして、制御部１３０は、温度センサ１３２によって検出された導電率可変層２０３の温度に応じて制御光Ｌの光量を補正する。
【００３７】
導電率可変層２０３の導電率は、温度が高くなるに従って大きくなる。表示パネル１１０は、導電率可変層２０３が高温となるに従い、導電率可変層２０３に流れる電流が増加する。有機ＥＬ層２０４の発光光の光量は電流値に略比例することから、導電率可変層２０３が高温となるに従い発光光の光量の増加が起こり得る。このように、導電率可変層２０３の温度変化に対応して導電率可変層２０３の導電率が変化すると考えられる。導電率可変層２０３の温度変化による有機ＥＬ層２０４の発光光の光量の変化は、画像信号とは関係がないものである。画像信号とは関係なく有機ＥＬ層２０４の発光光の光量が変化すると、画像信号に応じて表示パネル１１０を発光させることが困難となる。
【００３８】
表示装置１００は、表示パネル１１０の発光光の光量が所望の階調レベルとなるように、導電率可変層２０３の温度に基づいて、制御光Ｌの光量を補正する。例えば、温度センサ１３２によって検出された導電率可変層２０３の温度が高温である場合、制御部１３０は、制御光の光量を小さくするような演算を行う。例えば、導電率可変層２０３が高温であることによって導電率が大きくなった場合、制御光Ｌの光量を小さくする。制御光Ｌの光量を小さくすることにより、導電率可変層２０３に流れる電流値の増加を抑制することができる。このようにして導電率可変層２０３の温度変化による電流値の変化を抑制することによって、導電率可変層２０３の温度変化に伴う有機ＥＬ層２０４の発光光の光量の変化を低減する。温度変化による発光光の光量の変化を低減できると、画像信号ＰＳに正確に対応することができる。これにより、光アドレッシングによる制御を行う表示パネル１００において、温度変化による光量の変化を低減し、正確な光量の画像を得られるという効果を奏する。
【００３９】
（変形例１）
図４は、表示装置１００の変形例の表示パネル４１０の平面構成を示す。本変形例の表示装置の表示パネル４１０は、複数の温度センサ４３２を備えることを特徴とする。図４に示すように、表示パネル４１０は、２つの温度センサ４３２を、表示パネル４１０の矩形領域において対向する二隅に設けている。また、本変形例の表示装置は、複数の温度センサ４３２で検出された温度に基づいて算出された補間値を用いて制御光の光量を補正することを特徴とする。
【００４０】
例えば、表示領域の一部にのみ空調機器からの暖気が当たるような場合、表示パネル４１０の温度は、一部の領域の温度が他の領域に比べて大きいような分布をとることが考えられる。このように、表示パネル４１０に複数の温度センサ４３２を設けると、表示パネル４１０上において、それぞれの温度センサ４３２に対応する領域の温度を検出することができる。これにより、温度センサ４３２を設ける位置ごとに、表示パネル４１０の温度を正確に検出することができるという効果を奏する。表示パネル４１０が領域ごとに異なる温度となることは、表示パネル４１０が大型となるに従って容易に発生することが考えられる。大型な表示パネル４１０であっても、複数の温度センサ４３２を設けることにより、表示パネル４１０の温度を正確に検出することが可能となる。
【００４１】
また、それぞれの温度センサ４３２を設けている間の領域について、それぞれの温度センサ４３２により検出された温度に基づいて補間値を算出する。そして、それぞれの温度センサ４３２を設けている間の領域についての制御光の光量は、補間値に基づいて補正する。補間値は、２つの温度センサ４３２で検出された温度に基づいて、例えば、直線補間によって算出することができる。このように、制御部１３０（図３参照）は、２つの温度センサ４３２によって検出された導電率可変層２０３（図２参照）の温度に応じて制御光の光量を補正する。なお、補間値は、直線補間によって算出する構成に限られない。例えば、高次の曲線補間やスプライン補間によって補間値を算出する構成とすることとしても良い。
【００４２】
これにより、表示パネル４１０上の領域における温度分布に沿って表示パネル４１０を正確に制御することができるという効果を奏する。なお、２つの温度センサ４３２において異なる温度が検出される場合の制御光の光量の補正は、補間値に基づいて行う構成に限られない。例えば、それぞれの温度センサ４３２によって検出された温度の平均値を用いて制御光用光源１２２からの制御光の光量を補正することとしても良い。平均値を用いて制御光の光量を補正することにより、それぞれの温度センサ４３２によって検出された温度の平均値に基づいて制御光の光量を補正することができる。また、実施例１の表示パネル１１０には有機ＥＬ層２０４を用いているが、電流により発光するものであれば、これに限られない。例えば、有機ＥＬ層２０４に代えて無機ＥＬ層を用いることとしても良い。
【実施例２】
【００４３】
図５は、本発明の実施例２に係る表示装置５００の概略構成を示す。上記実施例１の表示装置１００と同一の部分には同一の符号を付し、重複する説明は省略する。本実施例の表示装置５００は、制御光用光源１２２が略一定の光量の制御光を入射させるように制御光用光学系１２０を制御し、そのときの導電率可変層２０３（図２参照）の温度に応じて制御光の光量を補正することを特徴とする。
【００４４】
制御光用光源１２２と、ガルバノミラー１２４との間の制御光Ｌの光路には、光分岐部であるビームスプリッタ５２５が設けられている。ビームスプリッタ５２５に設けられた光束分割面５２６は、制御光用光源１２２からの光を所定の強度比で分割する。例えば、光束分割面５２６は、入射する制御光Ｌの９０％を透過し、１０％を反射する。光束分割面５２６を反射した制御光Ｌは光路を９０度折り曲げられて光量センサ５３１の方向へ進行する。また、光束分割面５２６を透過した制御光Ｌは、実施例１の制御光用光学系１２０と同様に、ガルバノミラー１２４の方向へ進行する。このように、制御光用光源１２２からの制御光Ｌは、ビームスプリッタ５２５によって、光量センサ５３１の方向とガルバノミラー１２４の方向とに分岐される。
【００４５】
光量センサ５３１は、ダイクロイックプリズム５２５で分岐された制御光用光源１２２からの制御光Ｌの光量を検出する。光量センサ５３１による制御光Ｌのモニタ及びフィードバックを行うことにより、制御光用光源１２２は、制御光Ｌの光量が一定となるようにコントロールされる。光量センサ５３１としては、例えば、フォト・ダイオードを用いることができる。ガルバノミラー１２４の方向へ進行した制御光Ｌは、ガルバノミラー１２４によって、表示パネル５１０の表示領域と非表示領域とを走査する。表示パネル５１０の表示領域と非表示領域とについては後述する。
【００４６】
図６は、制御部５３０のブロック構成を示す。制御部５３０には、温度補正演算部３３３、電流値演算部３３４、制御光用光源駆動部３３５のほか、ＡＰＣ（automatic power control）回路６３６を有する。ＡＰＣ回路６３６は、光量センサ５３１からの信号に応じて、制御光用光源１２２の光の光量が略一定となるように制御光用光源１２２をコントロールするための信号を出力する。ＡＰＣ回路６３６における演算結果は、電流値演算部３３４の演算結果に加算、又は減算される。制御光用光源駆動部３３５は、ＡＰＣ回路６３６からの出力と、電流値演算部３３４からの出力とに応じて制御光用光源１２２を駆動する。
【００４７】
図７に示す回路を用いて、制御光を補正するための構成について説明する。メモリ７３２には、表示パネル５１０（図５参照）の発光光の光量の目標値が記憶されている。演算器７３７は、メモリ７３２に記憶されている制御光用光源１２２の光量の目標値と、光量センサ５３１によって検出された制御光用光源１２２からの光の光量とを比較する。そして、この比較した結果を基に、演算器７３７は、加算あるいは減算する電流値を算出する。さらに、演算器７３７において、算出された電流値には、さらに、温度センサ１３２からの信号に基づく加算あるいは減算がなされる。演算器７３７は、演算結果を制御光用光源駆動部３３５に出力する。このようにして、制御光用光源１２２は、表示パネル５１０の発光光が所望の階調レベルとなるように補正された光量の制御光Ｌを供給する。
【００４８】
次に、温度センサ１３２で検出された導電率可変層２０３（図２参照）の温度に基づく温度補正演算のタイミングについて説明する。図８に示すように、表示パネル５１０は、表示領域ＡＲ２と、表示領域ＡＲ２の外縁に設けられた非表示領域ＡＲ１とが設けられている。また、制御光Ｌは、表示領域ＡＲ２と非表示領域ＡＲ１とを通過するような軌跡Ｓで、表示パネル５１０上を走査する。表示領域ＡＲ２には、不図示の有機ＥＬ層が設けられている。そして、表示領域ＡＲ２を走査する制御光Ｌ（図５参照）は、画像信号に応じて変調されている。
【００４９】
これに対して、非表示領域ＡＲ１には、有機ＥＬ層が設けられていない。表示パネル５１０は、非表示領域ＡＲ１において画像表示を行わない。そこで、非表示領域ＡＲ１に制御光Ｌを走査させる場合、制御光Ｌは、非表示領域ＡＲ１に入射するタイミングにおいて、画像信号に関係なく略一定とすることができる。非表示領域ＡＲ１において制御光Ｌの光量を一定とすることにより、制御光用光源１２２からの光の光量を略一定とするタイミングを設けることができる。そして、表示装置５００は、制御光用光源１２２から略一定の光量の光を非表示領域ＡＲ１に照射させるタイミングで、制御光Ｌの光量のモニタ及びフィードバックを行う。このようにして、制御光Ｌの出力量が一定となるように制御光用光学系１２０（図５参照）をコントロールすることができる。
【００５０】
図９は、図６に示す制御光用光源駆動部３３５によって駆動される制御光用光源１２２の駆動電流値の変化、及び導電率可変層２０３の温度変化に応じた制御の例を表す。図９に示すグラフは、縦軸に制御光用光源１２２の駆動電流値Ｉ、横軸に時間ｔをとって表している。図９に示すように、制御光Ｌが非表示領域ＡＲ１を走査している間、制御光用光源１２２の駆動電流値は略一定である。このため、上述のように、制御光Ｌが非表示領域ＡＲ１を走査している間、制御光用光源１２２からの制御光Ｌの光量は略一定となる。制御光Ｌが表示領域ＡＲ２を走査している間は、制御光用光源１２２の駆動電流値は、画像信号に応じて高速に変化している。
【００５１】
ここで、制御部５３０は、非表示領域ＡＲ１において制御光Ｌの光量が一定となるときに、導電率可変層２０３の温度に応じて制御光用光源１２２の駆動電流値の補正値を算出する。例えば、このときの導電率可変層２０３の温度が高温であるとする。導電率可変層２０３が高温であると、導電率可変層２０３の導電率は大きくなる。このため、導電率可変層２０３の温度変化による駆動電流値の補正を行わないと、有機ＥＬ層２０４の発光光の光量は大きくなってしまう。このため、制御部５３０は、導電率可変層２０３の温度変化に応じて、制御用光源１２２の駆動電流値が小さくなるように減算するような演算を行う。
【００５２】
そして、制御部５３０は、制御光Ｌが表示領域ＡＲ２を走査する間は、制御光Ｌが非表示領域ＡＲ１に入射したときの温度に基づいて、表示領域ＡＲ２に入射するときの制御光Ｌの光量を制御する。つまり、制御光Ｌが表示領域ＡＲ２を走査する間は導電率可変層２０３の温度変化がないものとして補正値をホールドし、新たな補正値の算出を停止する。図９の表示領域ＡＲ２を付した部分は、導電率可変層２０３の温度に応じて、制御光用光源１２２の駆動電流値を破線のグラフから実線のグラフで表す量に減算している様子を示している。これらの減算は、制御光Ｌが非表示領域ＡＲ１に入射するときに算出された補正値をそのまま用いて行われる。なお、上記実施例２で説明したように、複数の温度センサにおいて異なる温度が検出された場合に補間値を算出し、表示領域ＡＲ２上の領域ごとに異なる補正値を適用することとしても良い。この場合も、補間値は、制御光Ｌが非表示領域ＡＲ１を照射しているときの導電率可変層２０３の温度に基づいて算出した値を用いることができる。
【００５３】
制御光Ｌは、制御光Ｌが表示領域ＡＲ２を走査する期間、画像信号に応じて高速に変調されている。これに対して、制御光Ｌが非表示領域ＡＲ１を走査する期間は、制御光Ｌの変調は行われていない。導電率可変層２０３の温度変化に応じた演算を制御光Ｌが非表示領域ＡＲ１を走査する期間に行うことにより、高速な光変調に対応して高速な演算を行う必要がなくなる。このようにして、制御部５３０は、低速な演算によって導電率可変層２０３の温度変化に応じた制御光Ｌの光量の補正を行うことができる。また、制御部５３０が表示領域ＡＲ２を走査する期間においては、導電率可変層２０３の温度変化に応じた演算を画像信号に応じた変調とともに行わなくても良いことから、画像信号に応じて高速な光変調を行うことができる。これにより、高速な光変調による正確な表示を行うことができるという効果を奏する。
【００５４】
なお、表示装置５００に用いられる光分岐部は、ビームスプリッタ５２５に限られない。光分岐部は、制御光用光源１２２からの制御光Ｌを所定の強度比で分岐可能であれば良く、例えば、回折格子やダイクロイックプリズムを用いることができる。さらに、表示装置５００は、光分岐部によって制御光用光源１２２からの制御光Ｌを分岐して光量センサ５３１に入射させる構成に限られない。例えば、光分岐部を設けず、光量センサ５３１を表示パネル５００の非表示領域に設けることとしても良い。この場合、光分岐部を設けなくても、制御光Ｌを光量センサ５３１に入射させることができる。
【実施例３】
【００５５】
図１０は、本発明の実施例３に係る表示装置１０００の概略構成を示す。上記実施例１の表示装置１００と同一の部分には同一の符号を付し、重複する説明は省略する。本実施例の表示装置１０００は、電圧検出部１０３７により検出された電圧値と、温度センサ１３２により検出された導電率可変層２０３（図２参照）の温度とに応じて、制御光Ｌの光量を補正することを特徴とする。
【００５６】
表示パネル１０１０は、図８に示す実施例２の表示パネル５１０と同様に、表示領域ＡＲ２と、表示領域ＡＲ２の外縁に設けられた非表示領域ＡＲ１とからなる。そして、非表示領域ＡＲ１の導電率可変層２０３に、電圧検出用電極１０３１が設けられている。電圧検出用電極１０３１は、非表示領域ＡＲ１の、制御光用光学系１２０に対向する側とは反対側の面に設置されている。なお、図１０には２つの電圧検出用電極１０３１を設ける構成を示しているが、電圧検出用電極１０３１は、単独又は複数のいずれであっても良い。
【００５７】
２つの電圧検出用電極１０３１とグラウンド電極１０３９との間には、抵抗１０３８が電気的に接続している。また、抵抗１０３８の両端には、電圧検出部１０３７が電気的に接続されている。電圧検出部１０３７は、抵抗１０３８の両端の電圧を検出することによって、電圧検出用電極１０３１に印加されている電圧を検出する。なお、複数の電圧検出用電極１０３１を設ける場合、それぞれの電圧検出用電極１０３１に対応して抵抗１０３８を接続する構成としても良い。この場合、電圧検出用電極１０３１を設置する位置における電圧を検出することが可能となる。このため、上記実施例１の温度センサ１３２の説明と同様に、電圧検出用電極１０３１を設ける位置ごとに、表示パネル１０１０の電圧を正確に検出することができる。
【００５８】
次に、制御光Ｌの光量を補正する構成について説明する。制御光Ｌは、図８に示す実施例２の表示パネル５１０と同様に、表示領域ＡＲ２と非表示領域ＡＲ１とを通過するような軌跡Ｓで、表示パネル１０１０上を走査する。そして、制御部１０３０は、表示パネルの非表示領域に、略一定の光量の制御光Ｌを入射させるように、制御光用光源１２２を制御する。制御光用光源１２２は、上記実施例２の表示装置５００と同様に、制御光Ｌが非表示領域ＡＲ１に入射するタイミングにおいて、制御光Ｌの光量を、画像信号に関係なく略一定とすることができる。非表示領域の導電率可変層２０３に制御光Ｌが入射すると、制御光Ｌの光量に応じて、導電率可変層２０３の電気的な導電率が変化する。このようにして、電圧検出用電極１０３１には、電源１４０からの電圧のうち、導電率可変層２０３の導電率に応じた電圧が印加される。そして、電圧検出部１０３７は、電圧検出用電極１０３１に印加されている電圧を検出する。
【００５９】
図１１は、制御部１０３０のブロック構成を示す。制御部１０３０は、上記の実施例２の制御部５３０（図６参照）と同様に、温度補正演算部３３３、電流値演算部３３４、制御光用光源駆動部３３５、ＡＰＣ回路６３６を有する。本実施例の制御部１０３０は、温度補正演算部３３３の演算結果がＡＰＣ回路６３６に入力される構成である点が、上記の実施例２の制御部５３０と異なる。ＡＰＣ回路６３６には、電圧検出部１０３７で検出された電圧検出用電極１０３１の印加電圧が略一定となるように、制御光用光源１２２の駆動を調整するための信号を出力する。
【００６０】
電圧検出部１０３７は、導電率可変層２０３に印加されている電圧を検出する。このとき、電圧検出部１０３７で検出された電圧値が、導電率可変層２０３の温度変化の影響を受けて変化している場合がある。このため、ＡＰＣ回路６３６は、目的とする電圧値を温度センサ１３２で検出された温度に基づいて補正した上で、制御光用光源１２２の駆動を調整するための信号を出力する。また、電流値演算部３３４は、画像信号ＰＳのみに基づいて制御光用光源駆動部３３５に駆動信号を出力する。ＡＰＣ回路６３６における演算結果は、電流値演算部３３４の演算結果に加算、又は減算される。制御光用光源駆動部３３５は、ＡＰＣ回路６３６からの出力と、電流値演算部３３４からの出力とに応じて制御光用光源１２２を駆動する。
【００６１】
図１２に示す回路を用いて、制御光用光源１２２の駆動の制御について説明する。メモリ１２３２には、表示パネル１０１０（図１０参照）の印加電圧の目標値が記憶されている。演算器１２３７は、メモリ１２３２に記憶されている印加電圧の目標値を、温度センサ１３２で検出された温度に基づいて補正した上で入力される。また、演算器１２３７には、電圧検出用電極１０３１に印加されている電圧値が入力される。演算器１２３７は、制御光用光源１２２について、温度に基づいて補正された表示パネル１０１０の印加電圧の目標値と、電圧検出用電極１０３１に印加されている電圧値とを比較演算する。そして、この比較した結果を基に、演算器１２３７は、加算あるいは減算する電流値を算出する。演算部１２３７の演算結果は、制御光用光源駆動部３３５に出力される。このようにして、制御光用光源１２２は、表示パネル１０１０の発光光が所望の階調レベルとなるように補正された光量の制御光Ｌを供給する。
【００６２】
非表示領域の導電率可変層２０３に制御光Ｌを入射させると、電圧検出用電極１０３１に、導電率可変層２０３の導電率に応じた電圧が印加される。非表示領域において略一定の光量の制御光Ｌを入射させるように制御光用光源１２２を駆動して電圧のモニタ及びフィードバックを行うことにより、制御光用光源１２２からの制御光の出力量が一定となるようにコントロールすることができる。このとき、電圧の目標値を導電率可変層２０３の温度変化に応じて変化させると、導電率可変層２０３の温度変化に伴う表示パネル１０１０の光量の変化を低減することができる。これにより、温度変化による光量の変化を低減し、正確に画像表示を行うことができるという効果を奏する。
【実施例４】
【００６３】
図１３は、本発明の実施例４に係る表示装置１３００の概略構成を示す。上記実施例１の表示装置１００と同一の部分には同一の符号を付し、重複する説明は省略する。本実施例の表示装置１３００は、インデックスセンサ１３３１、１３３２が、制御光Ｌの光量を検出する機能を有することを特徴とする。表示パネル１３１０は、図１４に示すように、表示領域ＡＲ２と、表示領域ＡＲ２の外縁に設けられた非表示領域ＡＲ１とから構成されている。インデックスセンサ１３３１、１３３２は、それぞれ非表示領域ＡＲ１の導電率可変層２０３（図２参照）の近傍に設けられている。
【００６４】
インデックスセンサ１３３１、１３３２は、非表示領域ＡＲ１の、表示領域ＡＲ２との境界近傍に設けられている。そして、図１４に示すように、制御光Ｌが、Ｙ方向へ走査した後Ｘ方向に所定の間隔をおいてさらにＹ方向へ走査するような走査軌跡Ｓをとる場合、インデックスセンサ１３３１、１３３２は、Ｘ方向に長手方向を有する矩形形状をなす構成とする。インデックスセンサ１３３１、１３３２がこのようにして設けられているため、制御光Ｌが表示パネル１３１０の表示領域ＡＲ２内の位置を照射することを検知できる。制御部１３３０は、制御光Ｌが表示領域ＡＲ２内の位置を照射する間、画像信号に応じて制御光Ｌを変調させるように制御光用光源１２２の駆動を制御する。これにより、画像信号に正確に対応して、表示パネル１３１０の表示領域ＡＲ２へ制御光Ｌを入射させることができる。
【００６５】
インデックスセンサ１３３１、１３３２は、さらに、制御光Ｌの光量を検出する機能を有する。インデックスセンサ１３３１、１３３２の、制御光Ｌの光量を検出する機能については、上記の実施例２の表示装置５００の光量センサ５３１の説明と同様である。インデックスセンサ１３３１、１３３２を用いて制御光Ｌのモニタ及びフィードバックを行うことにより、制御光用光源１２２からの制御光Ｌの光量が一定となるようにコントロールすることができる。インデックスセンサ１３３１、１３３２としては、例えば、フォト・ダイオードを用いることができる。
【００６６】
インデックスセンサ１３３１、１３３２に用いられるフォト・ダイオードは、それぞれ２分割して設けることができる。フォト・ダイオードを２分割して設けると、分割されたそれぞれのフォト・ダイオードで検出された信号を演算加工して使用することが可能となる。例えば、制御光Ｌが表示領域ＡＲ２に入射するタイミングを検知する場合は、それぞれのフォト・ダイオードで検出された信号の差分を利用する。これにより、信号の時間的な精度を上げ、タイミングを正確に検知することができる。また、制御光Ｌの光量を検出する場合は、それぞれのフォト・ダイオードで検出された信号の和を利用する。これにより、信号の量的な精度を上げ、制御光Ｌの光量を正確に検出することができる。
【００６７】
インデックスセンサ１３３１、１３３２に制御光Ｌの光量を検出する機能を持たせることにより、制御光Ｌの光量を検出するためのセンサを新たに設ける必要がなくなる。制御光Ｌの光量を検出するためのセンサが不要であることから、インデックスセンサ１３３１、１３３２を設ける表示装置１３００において、部品点数を増加する必要がなくなる。これにより、表示装置１３００を簡易な構成とすることができるという効果を奏する。
【実施例５】
【００６８】
図１５は、本発明の実施例５に係る表示装置１５００の概略構成を示す。上記実施例１の表示装置１００と同一の部分には同一の符号を付し、重複する説明は省略する。本実施例の表示装置１５００は、駆動部１５１１が反射する照明光の光量が所望の階調レベルとなるように、導電率可変層２０３の温度に基づいて制御光Ｌの光量を補正することを特徴とする。
【００６９】
表示装置１５００は、固体発光素子である発光ダイオード素子（以下、適宜「ＬＥＤ」という。）を複数設けた照明光用光源部１５０１を有する。照明光用光源部１５０１は、第１色光であるＲ光を供給するＲ光用ＬＥＤ１５０２Ｒと、第２色光であるＧ光を供給するＧ光用ＬＥＤ１５０２Ｇと、第３色光であるＢ光を供給するＢ光用ＬＥＤ１５０２Ｂとを有する。照明光用光源部１５０１から供給された照明光は、フィールドレンズ１５０３を透過した後、表示パネルである変調部１５１０に入射する。フィールドレンズ１５０３は、変調部１５１０をテレセントリックに照明する機能、即ち、照明光をできるだけ主光線に平行にして変調部１５１０に入射させる機能を有する。表示装置１５００は、照明光用光源部１５０１の像を投写レンズ１５０５の入射瞳１５０７の位置に結像する。このため、変調部１５１０は、照明光用光源部１５０１から供給される照明光によりケーラー照明される。
【００７０】
空間光変調装置１５２０は、変調部１５１０と、制御光用光学系１２０とからなる。変調部１５１０は、投写レンズ１５０５の側の表面に、画像信号に応じて移動可能な複数の駆動部である可動ミラー１５１１を有する。複数の可動ミラー１５１１は、変調部１５１０の平面上に、略直交する格子状に配列されている。変調部１５１０は、可動ミラー１５１１を画像信号に応じて移動させて照明光用光源部１５０１からの照明光を投写レンズ１５０５の方向、又は投写レンズ１５０５以外の方向に反射させる。そして、変調部１５１０は、各可動ミラー１５１１で反射され、投写レンズ１５０５の入射瞳１５０７に入射させる光の光量を画像信号に応じて変化させることにより、階調を表現する。このようにして、変調部１５１０は、照明光用光源部１５０１からの照明光を、画像信号に応じて変調する。投写レンズ１５０５は、変調部１５１０で変調された光をスクリーン１５０６に投写する。
【００７１】
次に、図１６を用いて、光制御可動ミラーデバイス１６１０の構成について説明する。光制御可動ミラーデバイス１６１０は、一つの可動ミラー１５１１を駆動するための構成である。光制御可動ミラーデバイス１６１０は、ＭＥＭＳ（Micro Electro Mechanical Systems）技術により作成することができる。絶縁層１６０４は、導電率可変層２０３上の略中央領域を除いた位置に、スパッタ技術により形成される。絶縁層１６０４には、例えばＳｉＯ2を用いることができる。絶縁層１６０４の上には、電極１６０５が設けられている。また、駆動用電極１６０６は、導電率可変層２０３の上に直接設けられている。電極１６０５と駆動用電極１６０６とは、導電性物質、例えばアルミニュウム（Ａｌ）で構成できる。
【００７２】
電源１５４０は、一方の電極を透明電極層２０２に、他方の電極を電極１６０５に接続している。これにより、電源１５４０は、透明電極層２０２と電極１６０５との間に所定電圧を印加する。電極１６０５の上には、可動ミラー１５１１と、可動ミラー１５１１を移動可能に支持する支持部１６０７とが形成されている。可動ミラー１５１１は、導電性物質、例えば、アルミニュウム（Ａｌ）で構成することができる。支持部１６０７は、導電性を有する可撓性部材、又は導電性を有する弾性部材（金属ばね等）である。支持部１６０７が導電性を有するため、支持部１６０７を介して可動ミラー１５１１と電極１６０５とは同電位である。
【００７３】
次に、制御光Ｌによる光制御可動ミラーデバイス１６１０の制御について説明する。制御光Ｌは、光制御可動ミラーデバイス１６１０に、基板２０１側から入射する。可動ミラー１５１１は、駆動用電極１６０６と、可動ミラー１５１１との間の電位差に応じた所定の力、例えば静電力（引力）Ｆにより駆動する。静電力Ｆの強度は、制御光Ｌの光量に対応して変化する。また、可動ミラー１５１１は、静電力Ｆの強度に対応する位置状態をとる。可動ミラー１５１１の位置状態を変化させることによって、上述のように、投写レンズ１５０５の入射瞳１５０７に入射させる光の光量を変化させることができる。従って、画像信号に応じて制御光Ｌの光量を変化することによって、アナログ信号に対応して連続的な変化量を表示することができる。変調部１５１０の各光制御可動ミラーデバイス１６１０は、光アドレッシングにより制御される。
【００７４】
次に、制御光Ｌの光量を補正するための構成について説明する。変調部１５１０は、導電率可変層２０３の導電率に応じた電圧を印加することによって駆動する。このため、導電率可変層２０３の温度変化によって導電率が変化すると、導電率可変層２０３の温度変化に応じて光制御可動ミラーデバイス１６１０に印加される電圧も変化する。例えば、導電率可変層２０３が高温となる、導電率可変層２０３の導電率は大きくなる。導電率可変層２０３の導電率が大きくなると、駆動用電極１６０６に印加される電圧が小さくなる。
【００７５】
駆動用電極１６０６に印加される電圧が小さくなると、駆動用電極１６０６と可動ミラー１５１１との間の電位差が小さくなることから、静電力Ｆも小さくなる。このため、導電率可変層２０３の温度が上昇すると、可動ミラー１５１１の移動量が小さくなる場合がある。このように、導電率可変層２０３の温度変化によって、画像信号に応じて可動ミラー１５１１を駆動することが困難となる場合がある。特に、表示装置１５００は、アナログ信号に対応して連続的な変化量を表示することから、電圧の変化によって投写光の光量が変化してしまう。
【００７６】
変調部１５１０には、上記実施例１の表示パネル１１０と同様に、導電率可変層２０３に温度センサ１３２が設けられている。温度センサ１３２は、導電率可変層２０３の温度を検出して、制御部１５３０に出力する。表示装置１５００は、温度センサ１３２により導電率可変層２０３の温度を検出し、導電率可変層２０３の温度に応じて制御光Ｌの光量を補正する。例えば、温度センサ１３２により導電率可変層２０３が高温であることを検出した場合、制御部１５３０は、制御光Ｌの光量を小さくするような補正を行う。なお、制御部１５３０における演算及び制御光Ｌの光量の制御については、上記実施例１の表示パネル１１０と同様である。
【００７７】
例えば、導電率可変層２０３の温度が高温となることにより導電率が大きくなった場合、制御光Ｌの光量を小さくする。制御光Ｌの光量を小さくすることにより、導電率可変層２０３に印加される電圧の低下を抑制することができる。このようにして導電率可変層２０３の温度変化による印加電圧の変化を抑制することによって、導電率可変層２０３の温度変化に伴う駆動用電極１６０６に印加される電圧の変化を低減する。温度変化による印加電圧の変化を低減できると、画像信号に正確に対応することができる。これにより、光アドレッシングによる制御を行う表示装置１５００において、可動ミラー１５１１を正確に駆動することができるという効果を奏する。表示装置１５００のように、電圧によって連続的な変化量を表示する場合であっても、温度変化による光量の変化を低減し、正確な光量で画像を表示することができる。
【００７８】
なお、本実施例の表示装置１５００は、駆動部として可動ミラー１５１１を設ける構成としているが、可動ミラー１５１１を設ける構成に限られない。電圧によって駆動可能な駆動部を設けるものであれば、本発明に適用することができる。例えば、駆動部として液晶層を用いる表示装置であっても良い。駆動部として液晶層を用いる場合、表示装置は、液晶層を駆動することによって照明光を透過させる構成と、照明光を反射させる構成とのいずれも用いることができる。また、表示装置１５００の照明光用光源部としては、ＬＥＤに限らず半導体レーザ素子や、エレクトロ・ルミネッセント（ＥＬ）素子等の他の固体発光素子や、固体発光素子以外のランプ等を用いることができる。
【産業上の利用可能性】
【００７９】
以上のように、本発明に係る表示装置は、プレゼンテーションや動画を表示する場合に有用である。
【図面の簡単な説明】
【００８０】
【図１】本発明の実施例１に係る表示装置の概略構成図。
【図２】表示パネルの説明図。
【図３】制御部のブロック図。
【図４】実施例１の変形例の表示パネルの平面構成図。
【図５】本発明の実施例２に係る表示装置の概略構成図。
【図６】制御部のブロック図。
【図７】表示装置の回路図。
【図８】表示領域と非表示領域との説明図。
【図９】制御光用光源の駆動電流値の変化及び温度変化に応じた制御の説明図。
【図１０】本発明の実施例３に係る表示装置の概略構成図。
【図１１】制御部のブロック図。
【図１２】表示装置の回路図。
【図１３】本発明の実施例４に係る表示装置の概略構成図。
【図１４】表示パネルとインデックスセンサとを示す図。
【図１５】本発明の実施例５に係る表示装置の概略構成図。
【図１６】光制御可動ミラーデバイスの構成図。
【符号の説明】
【００８１】
１００  表示装置、１１０  表示パネル、１２０  制御光用光学系、１２２  制御光用光源、１２４  ガルバノミラー、１３０  制御部、１３２  温度センサ、１４０  電源、２０１  基板、２０２  第１の透明電極層、２０３  導電率可変層、２０４  有機エレクトロ・ルミネッセンス層、２０５  第２の透明電極層、２０６  保護層、３３３  温度補正演算部、３３４  電流値演算部、３３５  制御光用光源駆動部、４１０  表示パネル、４３２  温度センサ、５００  表示装置、５１０  表示パネル、５２５  ビームスプリッタ、５２６  光束分割面、５３０  制御部、５３１  光量センサ、６３６  ＡＰＣ回路、７３２  メモリ、７３７  演算器、１０００  表示装置、１０１０  表示パネル、１０３０  制御部、１０３１  電圧検出用電極、１０３７  電圧検出部、１０３８  抵抗、１０３９  グラウンド電極、１２３２  メモリ、１２３７  演算器、１３００  表示装置、１３１０  表示パネル、１３３０  制御部、１３３１、１３３２  インデックスセンサ、１５００  表示装置、１５０１  照明光用光源部、１５０２Ｒ  Ｒ光用ＬＥＤ、１５０２Ｇ  Ｇ光用ＬＥＤ、１５０２Ｂ  Ｂ光用ＬＥＤ、１５０３  フィールドレンズ、１５０５  投写レンズ、１５０６  スクリーン、１５０７  入射瞳、１５１０  変調部、１５１１  可動ミラー、１５２０  空間光変調装置、１５３０  制御部、１５４０  電源、１６０４  絶縁層、１６０５  電極、１６０６  駆動用電極、１６０７  支持部、１６１０  光制御可動ミラーデバイス、Ｌ  制御光、ＰＳ  画像信号、ＡＲ１  非表示領域、ＡＲ２  表示領域、Ｓ  軌跡、Ｆ  静電力
【図１】
2005183076.tif 000003
【図２】
2005183076.tif 000004
【図３】
2005183076.tif 000005
【図４】
2005183076.tif 000006
【図５】
2005183076.tif 000007
【図６】
2005183076.tif 000008
【図７】
2005183076.tif 000009
【図８】
2005183076.tif 000010
【図９】
2005183076.tif 000011
【図１０】
2005183076.tif 000012
【図１１】
2005183076.tif 000013
【図１２】
2005183076.tif 000014
【図１３】
2005183076.tif 000015
【図１４】
2005183076.tif 000016
【図１５】
2005183076.tif 000017
【図１６】
2005183076.tif 000018